(57)【要約】【課題】回転表示部に発電機を備え、外部から電力供給、信号送信するためのスリップリング、ブラシ等の消耗部品を無くし、生産性向上、信頼性向上、及び長寿命化を図り、人間の視覚における残像効果により文字や画像を表示することで、ＬＥＤの個数を大幅に少なくした低価格、省エネルギーの回転型表示装置を提供する。【解決手段】電磁誘導方式モータ発電機、電子回路部、表示部を備える回転体部と、回転体を所定の一定回転数で回転させるモータ部とで構成され、発電機は回転により発電して電子回路部及び表示部に電力を供給し、表示部は、回転体部の一方の回転面の径方向に一列配置された複数の発光素子を有し、電子回路部は、基準回転位置検出手段、回転位置毎の点灯パタン記憶手段及び表示制御手段を有し、基準回転位置と回転位置毎の点灯パタン記憶値に基づき、表示部の複数の発光素子を点灯制御するように構成した。【選択図】図１
2011237748.tif 000002
【特許請求の範囲】
【請求項１】
電磁誘導方式モータ発電機、電子回路部、表示部を備える回転体部と、前記回転体を所定の一定回転数で回転させるモータ部とで構成される回転型表示装置であって、前記発電機は回転により発電して前記電子回路部及び表示部に電力を供給し、前記表示部は、前記回転体部の一方の回転面の径方向に一列配置された複数の発光素子を有し、前記電子回路は、基準回転位置検出手段、回転位置毎の点灯パタン記憶手段及び表示制御手段を有し、基準回転位置と回転位置毎の点灯パタン記憶値に基づき、前記表示部の複数の発光素子を点灯制御することで、スリップリングやブラシ等の消耗部品を使用せずに、前記発光素子の回転による残像効果により、文字および／または画像を表示することを特徴とする回転型画像表示装置。
【請求項２】
前記表示部の複数の発光素子夫々は、赤、緑、青色の３個の発行素子で構成することを特徴とする請求項１記載の回転型画像表示装置。
【請求項３】
前記回転体部に無線通信部を設け、外部から無線通信により前記電子回路部の回転位置毎の点灯パタン記憶値を設定及び書き換え可能とすることを特徴とする請求項１又は請求項２記載の回転型画像表示装置。
【発明の詳細な説明】
【技術分野】
【０００１】  本発明は、人間の視覚における残像効果により文字や画像を表示するＬＥＤ式の回転型表示装置に関する。
【背景技術】
【０００２】  従来、回転表示部に複数のＬＥＤ素子を一列に配列して、回転のタイミングに合わせてＬＥＤを点灯制御することで、人間の視覚における残像効果により文字や画像を表示する技術が知られている（特許文献１等）。特許文献１の回転型画像表示装置は、回転体と、回転駆動装置と、回転体に少なくとも一列で配列された複数の発光素子と、表示制御手段とから構成されて、各発光素子を回転に同期させて位置に応じて発光させることにより、回転体の回転中心を中心とする画像が表示される。
【特許文献１】特開２００８−４０３２５号公報
【発明の概要】
【発明が解決しようとする課題】
【０００３】  しかしながら、これらの従来の技術においては、回転表示部に発電機を備えた構成のものは無く、外部から回転表示部に電力供給、信号送信するための回転部と固定部間の通電手段として、スリップリング、ブラシ等の消耗部品を使用する必要があり、生産性、信頼性、製品寿命の点で問題がある。【０００４】  本発明は、このような従来の技術が有する問題を解決するものであり、回転表示部に発電機を備え、外部から電力供給、信号送信するためのスリップリング、ブラシ等の消耗部品を無くし、生産性向上、信頼性向上、及び長寿命化を図り、人間の視覚における残像効果により文字や画像を表示することで、ＬＥＤの個数を大幅に少なくした低価格、省エネルギー型の優れた回転型表示装置を提供することを目的とする。
【課題を解決するための手段】
【０００５】  本発明は、上記目的を達成するために、請求項１記載の発明は、電磁誘導方式モータ発電機、電子回路部、表示部を備える回転体部と、回転体を所定の一定回転数で回転させるモータ部とで構成され、発電機は回転により発電して電子回路部及び表示部に電力を供給し、表示部は、回転体部の一方の回転面の径方向に一列配置された複数の発光素子を有し、電子回路部は、基準回転位置検出手段、回転位置毎の点灯パタン記憶手段及び表示制御手段を有し、基準回転位置と回転位置毎の点灯パタン記憶値に基づき、表示部の複数の発光素子を回転に同期させて点灯制御するように構成されている。
【発明を実施するための形態】
【０００６】  この構成によれば、回転表示部の内部に電磁誘導方式モータ発電機を備えたことにより、外部から回転表示部に電力供給、信号送信するための、スリップリングやブラシ等の消耗部品を使用せずに、前記複数の発光素子の回転位置に応じた点灯制御による残像効果により、文字および／または画像を表示することができる。
【０００７】  請求項２記載の発明は、請求項１における表示部の複数の発光素子夫々は、赤、緑、青色の３個の発光素子で構成する。
【０００８】  この構成によれば、請求項１記載の内容に加えて、文字および／または画像をカラー表示することができる。
【０００９】  請求項３記載の発明は、請求項１又は請求項２における回転体部に、外部と通信して電子回路部に信号を送るための無線通信部を設ける。
【００１０】  この構成によれば、請求項１又は請求項２記載の内容に加えて、外部から無線通信により電子回路部の回転位置毎の点灯パタン記憶値を設定及び書き換え可能とする。
【発明の効果】
【００１１】  請求項１記載の発明における回転型表示装置は、回転表示部に発電機を備え、外部から電力供給、信号送信するためのスリップリング、ブラシ等の消耗部品を無くし、生産性向上、信頼性向上、及び長寿命化を図り、人間の視覚における残像効果により文字や画像を表示することで、ＬＥＤの個数を大幅に少なくした低価格、省エネルギーを実現するという効果を有する。
【００１２】  請求項２記載の発明における回転型表示装置は、請求項１記載の発明の効果に加えて、文字および／または画像をカラー表示にすることで、多彩な情報表示を行うことができるという効果を有する。
【００１３】  請求項３記載の発明における回転型表示装置は、請求項１又は請求項２記載の発明の効果に加えて、外部から無線通信により電子回路部の回転位置毎の点灯パタン記憶値を設定及び書き換えを行うことで、可変情報を時々刻々表示できるという効果を有する。
【発明を実施するための最良の形態】
【００１４】  本発明は、電磁誘導方式モータ発電機、電子回路部、表示部を備える回転体部と、回転体を所定の一定回転数で回転させるモータ部とを設け、発電機は回転により発電して電子回路及び表示部に電力を供給し、表示部は、回転体部の一方の回転面の径方向に一列配置された複数の発光素子を有し、電子回路部は、基準回転位置検出手段、回転位置毎の点灯パタン記憶手段及び表示制御手段を有し、基準回転位置と回転位置毎の点灯パタン記憶値に基づいて、複数の発光素子を回転位置に応じた点灯制御し、複数の発光素子の回転による残像効果により、文字および／または画像を表示するようにしている。【００１５】  また、前記複数の発光素子夫々は、赤、緑、青色の３個の発光素子で構成することで、文字および／または画像をカラー表示することも可能にしている。【００１６】  また、回転体部に外部と通信して電子回路部に信号を送るための無線通信部を設けることで、外部から無線通信により電子回路部の回転位置毎の点灯パタン記憶値を設定及び書き換え可能にしている。
【実施例１】
【００１７】  図１は本発明の第１の実施例を示すブロック図である。図１において、１は電磁誘導方式モータ発電機、２は電子回路部、３は表示部であり、４の回転体部を構成している。５は回転体を所定の一定回転数で回転させるモータ部、６はモータの回転軸、７は電磁誘導方式モータ発電機の固定子である。【００１８】  次に上記第１の実施例の動作について説明する。図１において、モータ部５は外部電源により回転し、回転軸６により結合される回転体部４を同時に所定の一定回転数で回転させる。【００１９】  回転体部４の電磁誘導方式モータ発電機１は、回転体部の回転により回転子が回転し、回転体部の周囲に固定して設けた複数個の固定子との電磁誘導作用により発電するように構成され、電子回路５に電力を供給する。【００２０】  電子回路部２は、発電機１から電力を受けて、基準回転位置と回転位置毎の点灯パタン記憶値に基づき、回転に同期させて表示部３の複数の発光素子を点灯制御する。【００２１】  表示部５の複数の発光素子は電子回路からの点灯信号に基づき点灯／滅灯することで、回転による残像効果により、文字および／または画像を表示する。【００２２】  このように、上記第１の実施例によれば、回転型表示装置は、回転表示部の内部に電磁誘導方式モータ発電機を備えたことにより、外部から回転表示部に電力供給、信号送信するための、スリップリングやブラシ等の消耗部品を使用せずに、複数の発光素子の回転位置に応じた点灯制御による残像効果により、文字および／または画像を表示する。【００２３】  また、表示部５の複数の発光素子夫々を、赤、緑、青色の３個の発光素子で構成することで、文字および／または画像をカラー表示することも可能となり、単色の表示に比べて多彩な情報表示を行うことができる。
【実施例２】
【００２４】  図２は本発明の第２の実施例を示すブロック図である。この第２の実施例は、図１に示した第１の実施例の回転体部の構成手段に加えて、外部と通信して電子回路部に信号を送るための無線通信部を設け、外部から無線通信により電子回路部の回転位置毎の点灯パタン記憶値の設定及び書き換えを行うようにしている。図２において、８は無線通信部であり、その他の構成手段は図１の構成手段と同じである。【００２５】  次に上記第２の実施例の動作について説明する。図２において、無線通信部８は、発電機１から電力を受けて、外部装置から無線通信により信号を受信して、電子回路部の回転位置毎の点灯パタン記憶値の設定及び書き換えを行う。【００２６】  電子回路部２は、基準回転位置と、無線通信部８からの信号により書き換えられた回転位置毎の点灯パタン記憶値に基づいて、複数の発光素子を回転位置に応じて点灯制御することで、複数の発光素子の回転による残像効果により、文字および／または画像を時々刻々可変して表示できる。その他の動作は第１の実施例の動作と同じである。【００２７】  このように、上記第２の実施例によれば、回転型表示装置は、第１の実施例の動作に加えて、外部から無線通信により電子回路部の回転位置毎の点灯パタン記憶値を設定及び書き換えることで、文字および／または画像を時々刻々可変して表示することが可能となる。
【図面の簡単な説明】
【００２８】
【図１】本発明の回転型表示装置の第１の実施例の構成を示すブロック図
【図２】本発明の回転型表示装置の第２の実施例の構成を示すブロック図
【符号の説明】
【００２９】１    電磁誘導方式モータ発電機
２    電子回路部
３    表示部
４    回転体部
５    モータ部
６    回転軸
７    固定子
８    無線通信部
【図１】
2011237748.tif 000003
【図２】
2011237748.tif 000004